【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
原稿からの反射光を電気信号に変換する光電変換手段と、
前記光電変換手段の出力信号のサンプリングを行い、デジタル画像データを出力する信号処理手段と、
前記信号処理手段が前記光電変換手段の出力信号をサンプリングするタイミングを複数設定するサンプリングタイミング設定手段と、
前記サンプリングタイミング設定手段により設定された複数のタイミングでサンプリングした前記信号処理手段から出力された前記デジタル画像データに基づいて、前記信号処理手段が前記光電変換手段の出力信号をサンプリングするタイミングを決定するサンプリングタイミング決定手段と、
を備えることを特徴とする画像読み取り装置。
【請求項２】
前記サンプリングタイミング決定手段は、前記複数のタイミングのサンプリング毎に前記信号処理手段から出力された前記デジタル画像データを統計処理した結果得られた統計量データと予め定められた条件とに応じて、前記信号処理手段が前記光電変換手段の出力信号をサンプリングするタイミングを決定することを特徴とする請求項１記載の画像読み取り装置。
【請求項３】
原稿からの反射光を電気信号に変換する光電変換手段と、前記光電変換手段からのアナログ電気信号をデジタル信号に変換して処理しデジタル画像データを出力する信号処理手段と、前記光電変換手段及び前記信号処理手段を動作させるための駆動信号を出力する駆動信号生成手段と、前記信号処理手段から出力されるデジタル画像データを記憶するメモリを備える画像読み取り装置において、
前記光電変換手段の複数ライン分の読み取りを行って、ライン上の画素毎に平均した平均化データを前記メモリに保持する平均化データ生成手段と、
前記メモリに保持された平均化データから所定の統計値を算出する統計量算出手段と、
前記統計量算出手段により算出された値が所定の値以上か否かを判定する判定手段と、
前記判定手段による判定結果に基づいて、前記駆動信号生成手段で生成する駆動信号の出力位相を変更する駆動信号出力位相制御手段と、
備えることを特徴とする画像読み取り装置。
【請求項４】
前記駆動信号出力位相制御手段を複数回制御して、それぞれ得られた読み取りデータに対して、前記平均化データ生成手段による平均データ生成、前記統計量算出手段による平均化データに対する統計量算出を行い、それぞれの統計量に対する前記判定手段による判定結果に基づき、前記駆動信号出力位相制御手段は駆動信号の出力位相を決定することを特徴とする請求項３記載の画像読み取り装置。
【請求項５】
前記駆動信号出力位相制御手段は、照明手段消灯時または点灯時での読み取りデータに対して駆動信号の出力位相を決定することを特徴とする請求項４記載の画像読み取り装置。
【請求項６】
原稿からの反射光を電気信号に変換する光電変換手段と、前記光電変換手段の出力信号のサンプリングを行い、デジタル画像データを出力する信号処理手段とを有する画像読み取り装置のサンプリングタイミング決定方法であって、
前記信号処理手段が前記光電変換手段の出力信号をサンプリングするタイミングを複数設定するサンプリングタイミング設定工程と、
前記サンプリングタイミング設定工程により設定された複数のタイミングでサンプリングした前記信号処理手段から出力された前記デジタル画像データに基づいて、前記信号処理手段が前記光電変換手段の出力信号をサンプリングするタイミングを決定するサンプリングタイミング決定工程と、
を備えることを特徴とする画像読み取り装置のサンプリングタイミング決定方法。
【請求項７】
前記サンプリングタイミング決定工程は、前記複数のタイミングのサンプリング毎に前記信号処理手段から出力された前記デジタル画像データを統計処理した結果得られた統計量データと予め定められた条件とに応じて、前記信号処理手段が前記光電変換手段の出力信号をサンプリングするタイミングを決定することを特徴とする請求項６記載の画像読み取り装置のサンプリングタイミング決定方法。
【手続補正２】
【補正対象書類名】明細書
【補正対象項目名】発明の名称
【補正方法】変更
【補正の内容】
【発明の名称】画像読み取り装置及びそのサンプリングタイミング決定方法
【手続補正３】
【補正対象書類名】明細書
【補正対象項目名】０００１
【補正方法】変更
【補正の内容】
【０００１】
本発明は、光学的に原稿を読み取る原稿読み取り手段を有する画像読み取り装置及びそのサンプリングタイミング決定方法に関し、特に、ＣＣＤ等の光電変換デバイスより出力されるアナログ画像信号をＡＤ変換する際のサンプリングタイミングの最適化を図るための画像読み取り装置及びそのサンプリングタイミング決定方法に関する。
【手続補正４】
【補正対象書類名】明細書
【補正対象項目名】００２５
【補正方法】変更
【補正の内容】
【００２５】
本発明の目的は、ＣＣＤラインセンサの出力信号のサンプリングタイミングの最適化を図り、良好な画像を実現する画像読み取り装置及びそのサンプリングタイミング決定方法を提供することにある。
【手続補正５】
【補正対象書類名】明細書
【補正対象項目名】００２６
【補正方法】変更
【補正の内容】
【００２６】
上記目的を達成するために、本発明による画像読み取り装置は、原稿からの反射光を電気信号に変換する光電変換手段と、前記光電変換手段の出力信号のサンプリングを行い、デジタル画像データを出力する信号処理手段と、前記信号処理手段が前記光電変換手段の出力信号をサンプリングするタイミングを複数設定するサンプリングタイミング設定手段と、前記サンプリングタイミング設定手段により設定された複数のタイミングでサンプリングした前記信号処理手段から出力された前記デジタル画像データに基づいて、前記信号処理手段が前記光電変換手段の出力信号をサンプリングするタイミングを決定するサンプリングタイミング決定手段とを備えることを特徴とする。
【手続補正６】
【補正対象書類名】明細書
【補正対象項目名】００２７
【補正方法】変更
【補正の内容】
【００２７】
また、本発明による画像読み取り装置は、原稿からの反射光を電気信号に変換する光電変換手段と、前記光電変換手段からのアナログ電気信号をデジタル信号に変換して処理しデジタル画像データを出力する信号処理手段と、前記光電変換手段及び前記信号処理手段を動作させるための駆動信号を出力する駆動信号生成手段と、前記信号処理手段から出力されるデジタル画像データを記憶するメモリを備える画像読み取り装置において、前記光電変換手段の複数ライン分の読み取りを行って、ライン上の画素毎に平均した平均化データを前記メモリに保持する平均化データ生成手段と、前記メモリに保持された平均化データから所定の統計値を算出する統計量算出手段と、前記統計量算出手段により算出された値が所定の値以上か否かを判定する判定手段と、前記判定手段による判定結果に基づいて、前記駆動信号生成手段で生成する駆動信号の出力位相を変更する駆動信号出力位相制御手段と備えることを特徴とする。
さらに、本発明によるサンプリングタイミング決定方法は、原稿からの反射光を電気信号に変換する光電変換手段と、前記光電変換手段の出力信号のサンプリングを行い、デジタル画像データを出力する信号処理手段とを有する画像読み取り装置のサンプリングタイミング決定方法であって、前記信号処理手段が前記光電変換手段の出力信号をサンプリングするタイミングを複数設定するサンプリングタイミング設定工程と、前記サンプリングタイミング設定工程により設定された複数のタイミングでサンプリングした前記信号処理手段から出力された前記デジタル画像データに基づいて、前記信号処理手段が前記光電変換手段の出力信号をサンプリングするタイミングを決定するサンプリングタイミング決定工程とを備えることを特徴とする。
【手続補正７】
【補正対象書類名】明細書
【補正対象項目名】００２８
【補正方法】変更
【補正の内容】
【００２８】
本発明によれば、ＣＣＤラインセンサ（光電変換手段）の出力信号のサンプリングタイミングの最適化を図り、良好な画像を実現することができる。
【手続補正８】
【補正対象書類名】明細書
【補正対象項目名】００５４
【補正方法】変更
【補正の内容】
【００５４】
ステップＳ４０１は、ＣＣＤラインセンサ２０１の出力信号をサンプリングするタイミングを複数設定するサンプリングタイミング設定手段として機能する。
【手続補正９】
【補正対象書類名】明細書
【補正対象項目名】００５７
【補正方法】削除
【補正の内容】
【手続補正１０】
【補正対象書類名】明細書
【補正対象項目名】００５９
【補正方法】削除
【補正の内容】
【手続補正１１】
【補正対象書類名】明細書
【補正対象項目名】００６１
【補正方法】削除
【補正の内容】
【手続補正１２】
【補正対象書類名】明細書
【補正対象項目名】００６５
【補正方法】削除
【補正の内容】
【手続補正１３】
【補正対象書類名】明細書
【補正対象項目名】００６８
【補正方法】変更
【補正の内容】
【００６８】
このようにして、ＣＰＵ２０４は、デジタル画像データに基づいて最終のサンプリングタイミングを決定するサンプリングタイミング決定手段として機能する。
【手続補正１４】
【補正対象書類名】明細書
【補正対象項目名】００８０
【補正方法】変更
【補正の内容】
【００８０】
そして、光電変換手段の複数ライン分の読み取りを行って、ライン上の画素毎に平均した平均化データをメモリに保持する平均化データ生成手段（ＣＣＤ信号処理部２０２）を備える。また、メモリに保持された平均化データから所定の統計値を算出する統計量算出手段（ＣＰＵ２０４）を備える。また、統計量算出手段により算出された値が所定の値以上か否かを判定する判定手段（ＣＰＵ２０４）を備える。また、判定手段による判定結果に基づいて、駆動信号生成手段で生成する駆動信号の出力位相を変更する駆動信号出力位相制御手段（ＣＰＵ２０４）を備える。
【手続補正１５】
【補正対象書類名】明細書
【補正対象項目名】００８３
【補正方法】削除
【補正の内容】